(57)【特許請求の範囲】
【請求項１】
レールの積み降しを行うチェーンブロックを搭載したレール運搬用トロにおいて、荷台に、該荷台の幅員方向に沿わせて収納枠を設置し、該収納枠に、前記荷台に傾斜状に立て掛けて前記チェーンブロックで積み降し時に吊ったレールを載せる案内材を、前記荷台の側端側の出入口を通じて突出自在に摺嵌したレール運搬用トロであって、
前記案内材は、
先頭側の主体杆と複数の補助杆とをそれぞれ接続部片およびピンを介して順次互いに下側へのみ折り曲げ可能に接続して構成したことを特徴とするレール運搬用トロ。
【請求項２】
請求項１記載のレール運搬用トロにおいて、
前記主体杆の長さは、前記複数の補助杆の長さよりも長いことを特徴とするレール運搬用トロ。
【発明の詳細な説明】
【技術分野】
【０００１】
本発明は、レールの積み降しを行うチェーンブロックを搭載したレール運搬用トロに関するものである。
【背景技術】
【０００２】
レール運搬用トロは、現場において、チェーンブロックを用いて運搬してきたレールを荷台上から降したり、耐用期間の過ぎた不要のレールを積み込んだりして現場を往復するものである（例えば、特許文献１）が、チェーンブロックを用いたレールの積み降し作業は、チェーンブロックでレールを吊った状態が不安定であるため、荷台の長手方向に沿って所要数の案内杆を傾斜状に立て掛け、チェーンブロックで吊ったレールをこの案内杆に摺接、すなわち、案内杆の傾斜に沿わせて荷台と道床間を上下に移動させるようにしており、従来は、この案内杆を作業員携帯のバールを利用している。
【先行技術文献】
【特許文献】
【０００３】
【特許文献１】実用新案登録第３１１６１０７号公報
【発明の概要】
【発明が解決しようとする課題】
【０００４】
しかしながら、バールの携帯を失念したり、直線路や曲線路等々現場の状況によってトロ（荷台）と別体のバールを作業上正しい位置に立て掛けられるとは限らず、ときには事故に直結する虞もある。
【０００５】
本発明は、斯様な常況を踏まえ、前記バールに代る案内材を備え、レールの積み降し作業を、円滑に行うことのできるレール運搬用トロを提供することを目的として創案したものである。
【課題を解決するための手段】
【０００６】
上記課題を解決するため、本発明に係るレール運搬用トロの第１の特徴は、レールの積み降しを行うチェーンブロックを搭載したレール運搬用トロにおいて、荷台に、該荷台の幅員方向に沿わせて収納枠を設置し、該収納枠に、前記荷台に傾斜状に立て掛けて前記チェーンブロックで積み降し時に吊ったレールを載せる案内材を、前記荷台の側端側の出入口を通じて突出自在に摺嵌したレール運搬用トロであって、前記案内材は、先頭側の主体杆と複数の補助杆とをそれぞれ接続部片およびピンを介して順次互いに下側へのみ折り曲げ可能に接続して構成したことを特徴とする。
また、本発明に係るレール運搬用トロの第１の特徴は、前記主体杆の長さは、前記複数の補助杆の長さよりも長いことを特徴とする。
【発明の効果】
【０００７】
本発明によれば、必要に応じて案内材を収納枠から引き出してレール積み降し用の案内材と利用することができ、従って、案内材を特別に用意する必要がなく、レール積み降しを円滑に行えるレール運搬用トロを提供できる。
特に、本発明では、案内材は先頭側の主体杆と複数の補助杆とをそれぞれ接続部片およびピンを介して順次互いに下側へのみ折り曲げ可能に接続して構成しているので、収納枠から案内材の引き出し長さを変えることによって道床における案内材先端の着地位置を変えることができ、レールの積み降ろし作業を円滑に行うことができる。
【図面の簡単な説明】
【０００８】
【図１】本発明に係るレール運搬用トロの略示正面図。
【図２】図１の平面図。
【図３】案内杆使用時の状態を示す一部欠截側面図。
【図４】図３の一部拡大図。
【図５】図４のａ−ａ線断面図。
【図６】案内杆を収納した状態を示す一部平面図。
【図７】案内杆の一部欠截側面図。
【図８】案内杆の一部欠截正面図。
【図９】案内材の平面図。
【発明を実施するための形態】
【０００９】
図面は、本発明に係るレール運搬用トロの一実施形態を示し、図中、Ａはレール運搬用トロで、レール運搬用トロＡは、荷台１に該荷台１の長手方向に適宜数並べて立設したやぐら２，２の片持ち状の腕金２ａにチェーンブロック（電動）３を該腕金２ａに沿って移動自在に吊設し、該チェーンブロック３を用いてレールＲの前記荷台１に対する積み降しをするようにしたものである。
【００１０】
前記荷台１の前記やぐら２，２の間には、該荷台１の幅員方向に沿って長い収納枠４を設置し、該収納枠４に案内材８を前記荷台１の側端から自在に引き出せるように収納してある。
【００１１】
収納枠４は取付基板５，５上に載置熔接した、互いに隣接する大、小の箱体の小さい（幅狭い）側で構成し（大きい箱４´は物入れとして適用）、前記取付基板５を荷台１上に載置して該荷台１にねじ止め６し、荷台１の幅員方向に長い、上面開口の細箱体で成るものである。
【００１２】
この収納枠４には、該収納枠４の前記荷台１の側端側の一端に設けた引出し口７を通じて案内材８を摺嵌させて収納し、収納した状態から引出し口７を通じて前記荷台１の側端より突出させ、その突出（先）端を道床下に受支させるようにして、基端側を荷台１側に受支させるように荷台１に傾斜状に立て掛け、前記チェーンブロック３で吊ったレールＲの荷台１から道床へ或いは道床から荷台１へと移動させるための案内材として用いるようにしてある。
【００１３】
案内材８は、先頭（端）側の主体杆８ａに第一、第二及び第三の補助杆８ｂ，８ｃ，８ｄを順次互いに折り曲げ可能に接続して構成するもので、各杆８ａ，８ｂ，８ｃ，８ｄを上部片１１８ａ，１１８ｂ，１１８ｃ，１１８ｄと相対する側部片１１８ａ´，１１８ａ´、１１８ｂ´，１１８ｂ´、１１８ｃ´，１１８ｃ´、１１８ｄ´，１１８ｄ´で成る断面コの字形（溝形）状の鋼材で構成したものである（図５、図７、図８或いは図９）。そして、主体杆８ａと各補助杆８ｂ，８ｃの各側部片１１８ａ´，１１８ｂ´，１１８ｃ´の後端部に一端を溶接（止着）して相対する一対の接続部片９の他端を前記後端部より突出させ、該接続部片９の他端部部間に前記後端部に隣接して対応する第一、第二、第三の各補助杆８ｂ，８ｃ，８ｄの先端部８ｂ´，８ｃ´，８ｄ´を介在させて接続ピン１０で互いに接続し、先端部８ｂ´，８ｃ´，８ｄ´を構成する前記側部片１１８ｂ´，１１８ｂ´、１１８ｃ´，１１８ｃ´、１１８ｄ´，１１８ｄ´の下部の隅角部を円弧状にして該側部片１１８ｂ´，１１８ｃ´，１１８ｄ´に前記接続部片９を介して連なる各杆８ａ，８ｂ，８ｃのピン１０を中心とする回動が円滑に行われ、案内材８としては接続部片９、ピン１０との組合わせ部において折り曲げられるようにしてある。
【００１４】
なお、具体的な数値を挙げれば、主体杆８ａは１２００ｍｍ、第一、第二の補助杆８ｂ，８ｃは３００ｍｍ、第三補助杆８ｄは２３０ｍｍの長さとなっている。
【００１５】
また、収納枠４を構成する、相対して立設した側壁部片４ａ，４ａの先端側には前記引出し口７の上壁部片と成る支持板１７を架設し、この支持板１７の、透孔を設けたほぼ中央部には前記透孔と一致するようにして支持筒１７ａを立設し、該支持筒１７ａに挿脱自在に貫通させた規制材１１の先端が、案内材８を構成する主体杆８ａおよび第一乃至第三の各補助杆８ｂ，８ｃ，８ｄの、それぞれの上部片１１８ａ，１１８ｂ，１１８ｃ，１１８ｄに設けた透孔１２Ａ，１２Ｂ，１２Ｃ，１２Ｄのいずれかを通じて収納枠４の底壁部片４ｂに設けた受支筒１３に係合し、案内材８の収納枠４に沿う移動を規制するようにしてあり、規制材１１を主体杆８ａの先端側に設けた透孔１２Ａに係合させたときは案内材８は収納枠４内に収納された状態が保持され、また、第一補助杆８ｂの透孔１２Ｂに挿通させたときは、第一補助杆８ｂと主体杆８ａの接続部である接続ピン１０部が収納枠４より引出し口７を通じて突出し、主体杆８ａが荷台１と道床間に傾斜状に配されて立て掛けられ、レールＲの案内をするようになっている。
【００１６】
同様に第二補助杆８ｃの透孔１２ｃに規制材１１を係合したとき、主体杆８ａと第一補助杆８ｂが第一補助杆８ｂを上側にして（両者の端縁同士が接して）傾斜状に配され、図５で示すように第三補助杆８ｄの透孔１２Ｄに規制材１１を挿通させた受支筒１３に係合したときは、図３で示すように、主体杆８ａの先端が荷台１より最も離開した道床位置に着地し、主体杆８ａと第一、第二の補助杆８ｂ，８ｃで成る傾斜状体（主体杆８ａと第一補助杆８ｂの端縁同士、第一補助杆８ｂと第二補助杆８ｃの端縁同士そして、第二補助杆８ｃと第三補助杆８ｄの端縁同士がそれぞれ接触して傾斜状態が保たれ）がレールＲの、荷台１に対する積み上げ、積み降しの案内材として機能する。
【００１７】
なお、第三補助杆８ｄの後端には突部片１９を突設し、収納枠４より案内材８を出入口７より引き出したとき、該突部片１９が前記支持板１７の後端に係止し、収納枠４からの案内材８の離脱、すなわち、荷台１から案内材８の脱落を防ぎ、事故の発生を防ぐようにしてある。
【００１８】
そして、荷台１の長手方向に並べて設けた収納枠４それぞれから案内材８を引き出し、若しくは、主体杆８ａとこれに連なる第一、第二の補助杆８ｂ，８ｃの双方又は第一補助杆８ｂを主体杆８ａに連続させて引き出し、主体杆８ａ先端を道床上に着地させて荷台１に立て掛け、該案内材８，８間にチェーンブロック３で吊ったレールＲをわたすようにして受支させ、案内材８の傾斜に沿わせて上方へ移動（荷台１に積むとき）或いは下方へ移動（荷台１より降ろすとき）させるように用いるのである。
【符号の説明】
【００１９】
１      荷台
３      チェーンブロック
４      収納枠
７      出入口
８      案内材
【図１】
0005788756.tif 000002
【図２】
0005788756.tif 000003
【図３】
0005788756.tif 000004
【図４】
0005788756.tif 000005
【図５】
0005788756.tif 000006
【図６】
0005788756.tif 000007
【図７】
0005788756.tif 000008
【図８】
0005788756.tif 000009
【図９】
0005788756.tif 000010